(57)【要約】【課題】新聞輪転機における折機の折部各種調整の作業性向上を図り、折ウェブ面上に皺や傷が発生を防止する。【解決手段】折部ユニット９は、それぞれ操作側又は駆動側方向へ独立的に移動でき、かつ所定の位置において固定されるよう構成されているため、作業スペースＳを従来のＳ０に対し広く取る事ができ作業性を向上させる事ができる。特に、セクション折あるいは転送運転時のニッピングローラ２０又は３９への捲き付け角θが従来に比し小さい状態で運転出来るため、折ウェブ３面上に皺や傷が発生し難い。【選択図】　　　図１
2004067357.tif 000002
【特許請求の範囲】
【請求項１】
被印刷可能物を導入する被印刷可能物導入装置部と、被印刷可能物流れ方向に対して並設された該被印刷可能物を折る少なくとも２つの折部ユニットとを有し、前記折部ユニットが各々可動であることを特徴とする折部ユニット可動式折機。
【請求項２】
前記折部ユニットは、モータ又は手動によって駆動されることを特徴とする請求項１記載の折部ユニット可動式折機。
【請求項３】
請求項１および２記載の折部ユニット可動式折機であり、前記折部ユニットの位置検出手段および位置制御装置を設けてなり、印刷運転形態および折帳仕様に対応して前記折部ユニットの位置を設定することを特徴とする、請求項１又は２記載の折部ユニット可動式折機。
【請求項４】
折機に少なくとも２つ設置される折部ユニットであり、前記折部ユニットが可動であることを特徴とする可動式折部ユニット。
【発明の詳細な説明】
【０００１】
【発明の属する技術分野】
本発明は新聞輪転機等に設備する折機に関する。
【０００２】
【従来の技術】
図５は新聞輪転機の折機に設備したウェブ導入装置部、折り畳み装置部、及び排紙装置部の全体概略構成を示す説明図である。ここで、ウェブとは被印刷可能物、具体的には、紙、布等印刷可能な物の意である（例えば輪転印刷機等によって印刷された印刷物のことをいう。）。
図５に示すように、ウェブ導入装置部は、主な構成要素として折機上部のドラッグローラ１７、三角板１８、一対のリードインローラ１９ａ，１９ｂ、第１ニッピングローラ２０ａ、２０ｂ、コンペンローラ３８等を有する。次いで、折り畳み装置部は折り部の第２ニッピングローラ３９ａ、３９ｂ、鋸胴４、折胴５、一対の折り込みローラ１ａ、１ｂ、及び羽根車７ａ、７ｂ等によって構成されている。さらに、排紙装置部は、排紙装置１６、複数組の排紙コンベア２６の組合せにより構成されている。
上記構成のもと、輪転機によって印刷を終えたウェブは、前工程の印刷装置側より連続的に搬送され、ドラグローラ１７にて案内されてきた後、折機２の入口部に設けた三角板１８により縦方向（ウェブ３ａ、３ｂの走行方向）に沿って二つ折りされる。次に、下方に配設したリードインローラ１９ａ、１９ｂ、第１及び第２ニッピングローラ２０ａ、２０ｂ、３９ａ、３９ｂ等に狭持され回転移送された後、鋸胴４と折胴５の間に送り込まれる。
ここで、従来の折機２は、操作側、駆動側の折り部を共通の架台フレーム１１に固設配置し、別配置の駆動源（モータ）からの伝導駆動により運転するよう構成されていた。
【０００３】
図４は、従来の新聞用オフセット輪転機に設備させた折り部の詳細説明図である。
鋸胴４には、外周面軸方向に沿って鋸刃２２を組み込ませた鋸台２１が設けられ、又、折胴５には、該鋸刃２２の受け部材として軸方向に沿ってゴム等の弾性体で形成した一対の鋸刃受２３とウェブ３の先行端に突き刺してウェブ３を搬送するための針２４及び鋸刃２２で断裁されたウェブ３の中央近辺を折るための折ブレード２５が取付けられている。
鋸胴４と折胴５は、鋸刃２２と鋸刃受２３が互いに噛み合うよう位相が設定された後、同期して対向回転すべく構成されている。針２４は、針軸に組付けてある針アームの先端に取付けられており、折胴５の回転と連動し、回転中所定の位相位置において折胴５から出入りするようになっている。つまり、ウェブ３が鋸刃２２と鋸刃受２３とで切断される直前の位置で折胴５表面から飛び出してウェブ３先端を突刺し、ウェブ３を折胴５の外周面に沿って回転移送するよう機能している。
【０００４】
上記ウェブ３の回転移送により、ウェブ３の先行端と次の断裁位置の中央部が折込みローラ１の直上位置に近づくと共に、針２４は抜け、該ウェブ３は折ブレード２５の作用によって折込みローラ１ａ、１ｂの中間係合部へ押し込まれ、狭持されて、ウェブの流れ方向に対し直角に横折りされて、折帳６として下流羽根車７（図５）に移送される。
羽根車７は、折込みローラ１を介して回転移送された折帳６を受け取り、所定ピッチで排紙コンベア２６上へ並べる装置である。又、排紙装置１６部は、該羽根車７から送り出された折帳６を外部へ搬出すべく機能している。
【０００５】
【発明が解決しようとする課題】
ところで、折機２は、折帳仕様や運転条件の変更等に伴いウェブルートの変更、ニッピングローラの調整、折込ローラ間の隙間調整、シートガイドの位置調整、さらには搬入される折帳６に対する羽根車７のタイミング（位相）調整他種々の変更調整が必要になる。
しかし、上述したように従来の折機２は、操作側、駆動側の折り部を共通の架台フレーム１１に固設配置し、別配置の駆動源（モータ）からの伝導駆動により運転するよう構成されていた。
【０００６】
このため、構造上次のような問題点があった。つまり、
（１）操作側折り部と、駆動側折り部の空間Ｓ０が狭いため、折部各種調整の作業性が悪い。
（２）折ウェブ３を第１ニッピングローラ２０ａ、２０ｂから第２ニッピングローラ３９ａ，３９ｂに移送させる場合、折ウェブ３が垂直に移送されず、曲げられて変形するため、該折ウェブ面上に皺や傷が発生し易い。
ここで、三角版１８を大きくしたり、ドラグローラ１７を長くすることで、折ウェブ３ａ、３ｂが第２ニッピングローラ３９ａ、３９ｂへとほぼ垂直に移送されるように、設計することも可能である。しかし、この場合には、ウェブ導入装置部を製作するにあたり大幅なコストアップとならざるを得ない。
（３）特に図５の一点鎖線に示す如く２組の三角板１８を通過し縦折された折ウェブ３ａ、３ｂを合流させ片方の折り部で同時に横折りし、折帳６に形成する、いわゆるセクション折に設定した場合、あるいは、操作側の折り部が故障したとき駆動側の折り部に変更して運転するいわゆる転送運転の場合、操作側折部と駆動側折部との間にスペースＳ０を確保することから、ニッピングローラ２０乃至３９での捲き付け角θ１、θ２、θ３が大きくなり、折ウェブ面に、より皺や傷が発生し易くなる。
等の問題があった。
【０００７】
本発明はかかる事情に鑑みてなされたものであり、これら種々の問題点に対処すべく構成した折部ユニット可動式折機および可動式折部ユニットを提案するものである。
【０００８】
【課題を解決するための手段】
本発明は、被印刷可能物を導入する被印刷可能物導入装置部と、被印刷可能物流れ方向に対して並設された該被印刷可能物を折る少なくとも２つの折部ユニットとを有し、前記折部ユニットが各々可動であることを特徴とする。
【０００９】
本発明に係る折部ユニット可動式折機は、被印刷可能物を導入する被印刷可能物導入装置部と、被印刷可能物流れ方向に対して並設された該被印刷可能物を折る少なくとも２つの折部ユニットとを有し、前記折部ユニットが各々可動である構成としたため、各運転部の調整やメンテナンスを行うとき、複数の折部ユニットを適宜移動させることにより作業スペースを確保することができる。
ここで、被印刷可能物とは紙、布等印刷可能な物の意であり、例えば輪転印刷機等によって印刷された印刷物（ウェブ）のことである。
【００１０】
本発明は、前記折部ユニットは、モータ又は手動によって駆動されることを特徴とする。
【００１１】
本発明に係る折部ユニット可動式折機は、前記折部ユニットは、モータ又は手動によって駆動される構成としたため、簡便な手段によって容易に移動されることとなる。
【００１２】
本発明は、請求項１および２記載の折部ユニット可動式折機であり、前記折部ユニットの位置検出手段および位置制御装置を設けてなり、印刷運転形態および折帳仕様に対応して前記折部ユニットの位置を設定することを特徴とする。
【００１３】
本発明に係る折部ユニット可動式折機は、請求項１および２記載の折部ユニット可動式折機であって、前記折部ユニットの位置検出手段および位置制御装置を設けてなり、印刷運転形態および折帳仕様に対応して前記折部ユニットの位置を設定する構成としたため、特にセクション折あるいは転送運転時において、被印刷可能物の巻きつけ角θが調整可能となる。
ここで、折帳とは折りたたまれた印刷物の意である。
【００１４】
さらに、本発明は折機に少なくとも２つ設置される折部ユニットであり、前記折部ユニットが可動であることを特徴とする。
【００１５】
【発明の実施の形態】
本発明の実施の形態を説明する。各図中、従来形式のものと共通する部品、部位については同一の符号を付してある。
図１、図２は本発明の実施の形態を示したものである。
折機２に搬入したウェブ３を三角板１８により縦走行方向に沿って半分に折り畳んだ後、鋸胴４と折胴５の協働により横方向（水平方向）に切断し、折胴５を介して折胴軸と平行方向に折り畳んだ折帳６として、羽根車７を介して整列させた状態で外部に排出する。これら折機２、及び排紙装置１６としての一連の基本構成、機能は、前記従来技術の項において説明したものと同様である。
【００１６】
さらに本発明の実施の形態は、図１及び図２に示す如く、ウェブ導入装置部は折機上部ユニット８としている。よって、折機２は独立的に設備した折機上部ユニット８と２組の折部ユニット９ａ、９ｂ、及び排紙部ユニット１０にて構成している。
折機上部ユニット８は、ドラッグローラ１７、三角板１８、リードインローラ１９、第１ニッピングローラ２０等にて構成されている。
折部ユニット９は、第２ニッピングローラ３９、鋸胴４、折胴５、一対の折り込みローラ１及び羽根車７等にて構成され新聞用オフセット輪転機では通常２組の折部ユニット（９ａ、９ｂ）を配置させている。尚該ユニット９ａ、９ｂは、それぞれ操作側又は駆動側方向へ独立的に移動でき、かつ所定の位置において固定されるよう構成されている。
又、排紙部ユニット１０は、複数組の排紙コンベア２６等々にて構成されている。
折機上部ユニット８及び排紙部ユニット１０は、従来の折機２と同様共通の架台フレーム１１において位置固定的に設備され、折部ユニットの移動に対応してその機能を発揮するよう考慮されている。
このように折部ユニットを配置させることで、折ウェブ３ａ、３ｂはリードインローラー１９から第１ニッピングローラー２０、第２ニッピングローラー３９へと略垂直に搬送されることとなるため、折ウェブ３面上につく皺や傷を大幅に軽減することが可能となる。
【００１７】
図２−ａは図１（Ａ）矢印方向から見た左側面図である。また、図２−ｂは図１（Ｂ）の矢印方向から見た平面図である。図（２−ｂ）は印刷機駆動側半分のみを図示したもので、同構成のものが操作側・駆動側の両側対称に配置されている。
【００１８】
折部ユニット９のフレーム１２は、排紙部ユニット１０のフレーム１１に固設したガイドレール１３ａ、１３ｂに支持されており、平面上において印刷機の操駆両側方向に走行移動できるよう構成されている。移動手段として上記ガイドレール１３に沿って一対の搬送ネジ１４ａ、１４ｂが設けられ、フレーム（移動）１２に固設したネジブロック１５に螺合させている。搬送ネジ１４ａ、１４ｂは軸受２７にて軸支させ、片側軸最先端には傘歯車（ベベルギア）２８を固設しており、移動フレーム１２の移動と直角方向に架け渡したシャフト２９へ固定した傘歯車３０に噛合させる事により、搬送ネジ１４ａ、１４ｂが連動して回動できる様になっている。図中３１はシャフト２９の軸受である。
【００１９】
又、本例ではシャフト２９の歯付きプーリ３２、歯付きベルト３５、減速機付モータ３６の軸端に固設した歯付きプーリ３４を介して回転駆動されるようになっている。
モータ３６の後端に配置させた図中３７はエンコーダで、該モータ３６の回転位置を読み取り、フレーム１２の移動量（位置）を検知する事ができる様になっている。
【００２０】
折部ユニット９の位置は、前記エンコーダ３７からの検知信号を制御装置に取り込み比較演算させた後、モータ３６に出力してフレーム１２の位置をコントロール設定されるようになっており、折帳６の仕様及び運転形態を入力する事によって、印刷のオーダチェンジと並行してプリセットさせる事ができる。又、上記折部ユニット９の位置制御により折胴迄の折ウェブパス長を変えることが出来る為、折帳の断裁位置制御に利用することも可能である。セクション折の場合、折部ユニット９の位置を３ａ、３ｂ折ウェブのパス長を同じ、又は折帳長さの整数倍になるよう移動調整し断裁位置を一致させることができる。
【００２１】
図３は、本発明の各印刷運転形態における折部ユニット９の設定パターンを示したものである。
図（３−ａ）は、調整及び保守点検整備（メンテナンス）を行う場合の設定状態であり、両側折部ユニット９ａ、９ｂをそれぞれ対応する操作側端及び駆動側端へ最大限移動し、作業スペースＳを確保している。
次に、図（３−ｂ）は、セクション折又は転送運転する場合を示している。セクション折は折ウェブ３ａ，３ｂを合流させ片方の折部ユニットで折り込むもので、図中実線で示すように運転する折ユニット９ａを略中央部に配置している。折ユニットを替えるいわゆる転送運転時は折部ユニット９ａを操作側端（一点鎖線で図示）に最大限移動し、運転する折部ユニット９ｂを略中央部に位置させて運転する。
又、図（３−ｃ）は、通常片出し又は両出し運転する場合の設定状態で、従来に比し両側折部ユニット９ａ，９ｂを中央部に移動し、それぞれ対応する操作側と駆動側において、ウェブ３が安定的に移送搬入できる、つまり折ウェブ３ａ、３ｂを折部ユニット９ａ，９ｂに対し略垂直方向に搬入できる位置に固定している。
【００２２】
上記折部ユニット９の移動支持部は、例示したガイドレール部へのリニアベアリングの採用や、移動手段としてラックとピニオンを組合せる等種々多様な方式が可能である。又、簡易的な方法として、移動駆動手段としてのモータを使用せず手動で移動し固定させても良い。さらに、折帳６仕様と運転方法に対応した指令によりエンコーダ３７、図示しない制御装置、モータ３６を介して自動的に設定する事ができるようになっている。尚、位置調整後はモータ３６内のブレーキ、あるいは折部ユニットのフレーム部に図示しない例えば押圧固定機構を設け、運転時のガタや移動を防止すべく固定させることも可能である。
これら本発明は上記実施例にのみ限定されるものではなく、本発明の要旨を逸脱しない範囲内において種々変更を加え得るものである。
【００２３】
本発明の実施の形態は上述の如く構成するもので、次に示す種々の効果を得ることができる。
つまり、図（３−ａ）においては、作業スペースＳを従来のＳ０に対し広く取る事ができ、各部の調整やメンテナンスを行う場合の作業性が良い。このため作業の時間短縮ができ、輪転機の稼動率を向上させる事ができる。
【００２４】
図（３−ｂ）においては、特にセクション折あるいは転送運転時のニッピングローラ２０又は３９への捲き付け角θが従来の図５におけるθ１、θ２、θ３に比し小さい状態で運転出来るため、折ウェブ３面上に皺や傷が発生し難い。
特にセクション折は、２部の折ウェブを合流させる為巻き付けによる影響を受け易く、本発明の効果が大きい。又折部ユニットの移動調整により３ａ及び３ｂ折ウェブの断裁位置調整が可能な為、折機内コンペンローラ３８が不要となる。
【００２５】
図（３−ｃ）は、通常運転時の例で、折ウェブ３を略垂直に送り、安定的に移送されるため、図（３−ｂ）と同様、折ウェブ３面上に皺や傷が付き難い。
【００２６】
このように、折ウェブ３面上に皺や傷が付き難いことから、搬送に際して折帳６の乱れが減少し羽根車上へスムーズに移載できる。このため、後工程におけるトラブルも減少する。さらに、製品品質を安定、向上させる事ができる。さらに、より高速での運転が可能となり、輪転印刷機の生産性を向上させることができる。
【００２７】
【発明の効果】
以上説明したように、本発明に係る折部ユニット可動式折機は、被印刷可能物を導入する被印刷可能物導入装置部と、被印刷可能物流れ方向に対して並設された該被印刷可能物を折る少なくとも２つの折部ユニットとを有し、前記折部ユニットが各々可動である構成としたため、各運転部の調整やメンテナンスを行うときに作業スペースを確保することができ、作業時間の短縮、輪転機の稼働率の向上を図ることができる。
また、通常の運転形態において操作側折部ユニットと駆動側折部ユニットとの間に作業スペースを確保することなく、両ユニットを近接させることができるため、被印刷可能物導入装置部の製作費を増大させずに、被印刷可能物面上につく皺や傷を軽減することができる。
【００２８】
さらに、本発明に係る折部ユニット可動式折機は、前記折部ユニットの位置検出手段および位置制御装置を設けてなり、印刷運転形態および折帳仕様に対応して前記折部ユニットの位置を設定する構成としたため、特にセクション折あるいは転送運転時において、被印刷可能物の巻きつけ角θを各印刷運転形態毎に最小限に調整可能となることから、被印刷可能物面上につく皺や傷が大幅に軽減される。
このように、被印刷可能物面上につく皺や傷が軽減されることから、折帳の搬送がスムーズに行われ、後工程におけるトラブルも減少し、製品品質の安定、向上、ひいては高速運転が可能となることによる輪転機の生産性向上を図ることができる。
【図面の簡単な説明】
【図１】輪転印刷機に設備させた本発明に係る折機の構成説明図
【図２】折部ユニット移動装置の構造例説明図
【図３】本発明に係る折機の機能説明図
【図４】従来の新聞用オフセット輪転機に設備させた折り部の詳細説明図
【図５】従来の新聞輪転機に設備した折機の概略構成を示す説明図
【符号の説明】
１…折込ローラ
２…折機
３…ウェブ（折ウェブ）
４…鋸胴
５…折胴
６…折帳
７…羽根車
８…折機上部ユニット（ウェブ導入部）
９…折部ユニット（折り部）
１０…排紙部ユニット（排紙装置部）
１１…フレーム
１２…フレーム（移動）
１３…ガイドレール
１４…搬送ネジ
１５…ネジブロック
１６…排紙装置
１７…ドラグローラ
１８…三角板
１９…リードインローラ
２０…第１ニッピングローラ
２１…鋸台
２２…鋸刃
２３…鋸刃受
２４…針
２５…折ブレード
２６…排紙コンベア
２７…軸受
２８…傘歯車（ベベルギア）
２９…シャフト
３０…傘歯車（ベベルギア）
３１…軸受
３２…歯付きプーリ
３４…歯付きプーリ
３５…歯付きベルト
３６…モータ
３７…エンコーダ
３８…コンペンローラ
３９…第２ニッピングローラ
Ｓ…空間
θ…巻き付け角
【図１】
2004067357.tif 000003
【図２】
2004067357.tif 000004
【図３】
2004067357.tif 000005
【図４】
2004067357.tif 000006
【図５】
2004067357.tif 000007